(57)【要約】  【課題】  収容部の内の液体が充分に肥料を溶解し、そして液排出孔を経て液体を盆栽に注入することにより、環境の品質と養分の供給量を相対的に高めることができる。  【解決手段】  収容部１、蓋体２と少なくとも一個の固定脚３により構成される。蓋体２は収容部１に組み立てられ、固定脚３は収容部１を盆栽Ａの内に固定するのに用いられる。収容部１には開口１１と複数個の液排出孔１２が設けられ、それぞれ肥料４を入れるのに、液体を排出するのに用いられる。蓋体２には液注入孔２２と蓋２３が設けられ、蓋２３により液体注入孔２２を開いたり閉じたりすることができるため、液体注入器または雨水を利用して液体を液注入孔２２から収容部１に注入するように構成されている。【選択図】  図２
0003126539.tif 000002
【実用新案登録請求の範囲】
【請求項１】
収容部（１）および蓋体（２）により構成される植物養分注入器であって、収容部（１）には開口（１１）と複数個の液排出孔（１２）が設けられ、収容部（１）は肥料（４）を収容するのに用いられ、蓋体（２）は収容部（１）を封止するのに用いられ、そして蓋体（２）には液注入孔（２２）が設けられ、液注入孔（２２）は液体を注入するのに用いられ、収容部（１）の内の上記液体が肥料（４）を充分に溶解した後、液排出孔（１２）を経て排出されることにより、盆栽（Ａ）の養分を提供することを特徴とする植物養分注入器。
【請求項２】
液注入孔（２２）には他に蓋（２３）が設けられ、液排出孔（２２）が開くおよび自動的に閉じるのを押圧することにより、液体注入器により液体を注入すると共に、蚊や虫などが収容部（１）に不意に侵入するのを避けることを特徴とする請求項１記載の植物養分注入器。
【請求項３】
他に少なくとも一個の支持アーム（２４）が設けられることにより、蓋（２３）を液体注入孔（２２）に結合することを特徴とする請求項２記載の植物養分注入器。
【請求項４】
蓋（２３）には他に網（２３１）が貼設されることにより、蓋（２３）と液体注入孔（２２）との間の隙間を被覆し、さらに蚊や虫などが収容部（１）に不意に侵入するのを避けることを特徴とする請求項２記載の植物養分注入器。
【請求項５】
液体注入孔（２２）には他に網（２２１）が貼設されることにより、蚊や虫などが収容部（１）に不意に侵入するのを避けることを特徴とする請求項１記載の植物養分注入器。
【請求項６】
少なくとも一個の導引組立部材（２１）が設けられることにより、蓋体（２）を収容部（１）に導引して組み立てることを特徴とする請求項１記載の植物養分注入器。
【請求項７】
蓋体（２）には他に凹欠部（２０）が設けられ、そして液体進入孔（２２’）は少なくとも凹欠部（２０）の底部に設けられることにより、液体を注入することを特徴とする請求項１記載の植物養分注入器。
【請求項８】
収容部（１）の底部には他に少なくとも一個の固定脚（３）が設けられることにより、収容部（１）を盆栽（Ａ）の内の土壌の上に挿入して固定することを特徴とする請求項１記載の植物養分注入器。
【請求項９】
蓋体（２）と収容部（１）は共同で動物の造形、植物の造形または山の造形に形成することにより、盆栽（Ａ）を飾ることを特徴とする請求項１記載の植物養分注入器。
【考案の詳細な説明】
【技術分野】
【０００１】
本考案は、植物養分注入器に関するもので、特に収容部に複数個の液排出孔を設け、さらに蓋体に液注入孔を設け、そして液体を利用して収容部の内の肥料を分解することにより、植物に養分を供給することができる植物養分注入器に係るものである。
【背景技術】
【０００２】
従来の農作物の栽培方法としては、先ず鉢またはその他の器を利用して苗を育て、農作物が一定の程度まで生長した後、再び植える場所に移植するのが常である。その他に、盆栽で栽培する花草も環境の美化や景観造りに利用されている。このように、花草が一定の時間内において豊かな外観を有するように生長するまで適当に施肥しなければならない。しかし、図７を参照すると、従来の盆栽における施肥の方式においては肥料４を土壌に埋め込む時、肥料４は化学の反応により土壌の温度が高くなり、花草の生長に影響を及ぼしてしまうのを避けなければならない。このように、肥料４を直接花草の周囲の土壌の表面にばら撒いてから、再び水を撒いて肥料４を溶解して土壌の中に滲み込ませ、花草の根茎部から肥料４の養分を吸収させるようにとしたものがある。
【考案の開示】
【考案が解決しようとする課題】
【０００３】
上記のような従来の植物養分注入方式においては、実際に使用すると、下記のような改善すべき問題点を有している。例えば、ａ）盆栽は環境の美化と景観造りに利用されているため、盆栽の内の土壌表面の肥料４は環境の全体の美観に影響を及ぼしてしまう。ｂ）肥料４に蚊や虫がわき易いため、環境衛生の品質が低くなる。ｃ）肥料４から生じる異臭により環境の品質と生活の快適さが悪くなる。ｄ）肥料４は土壌の表面だけに撒き、そして水を撒く時、液体は肥料４を充分に溶解していない状態で土壌に滲み込んでしまうため、花草は充分に養分を吸収することができないなどの問題点を有している。このように、上記のような従来の植物養分注入方式をさらに改良しなければならない。
【０００４】
本考案はこのような問題点に鑑みて考案したものであって、その目的とするところは、盆栽の内に植物養分注入器を設置し、上記植物養分注入器には収容部、蓋体と少なくとも一個の固定脚が含まれる。上記収容部には開口と複数個の液排出孔が設けられ、それぞれ肥料を入れるのに、液体を排出するのに用いられる。蓋体は上記収容部の開口を開くおよび閉じるのに用いられ、上記蓋体の上端には液注入孔と蓋が設けられることにより、液体を上記収容部に注入し、さらに上記収容部の内の肥料を充分に溶解し、養分を含んだ液体を上記盆栽に注入することができるため、確実に環境の品質と養分の吸収を相対的に高めることができる植物養分注入器を提供しようとするものである。
【０００５】
本考案の第一の目的は、収容部に複数個の液排出孔を設け、さらに蓋体に液注入孔と蓋を設けることにより、上記収容部に肥料を収容したり分解したりすることができるため、肥料の溶解度を高めることができる植物養分注入器を提供しようとするものである。
【０００６】
本考案の第二の目的は、収容部に複数個の液排出孔を設け、さらに蓋体に液注入孔と網を設け、上記網により蚊や虫が収容部に侵入するのを防止することができるため、異物が収容部に進入するのを避けることができる植物養分注入器を提供しようとするものである。
【０００７】
本考案の第三の目的は、収容部に複数個の液排出孔を設け、さらに蓋体に凹欠部と複数個の液進入孔を設け、上記凹欠部により液体を集めることができるため、液体が注入し易くなる植物養分注入器を提供しようとするものである。
【課題を解決するための手段】
【０００８】
上記目的を達成するために、本考案による植物養分注入器は、下記のようになるものである。すなわち、
収容部および蓋体により構成される。収容部には開口と複数個の液排出孔が設けられ、収容部は肥料を収容するのに用いられる。蓋体は収容部を封止するのに用いられ、そして蓋体には液注入孔が設けられ、液注入孔は液体を注入するのに用いられる。収容部の内の液体が肥料を充分に溶解した後、液排出孔を経て排出されることにより、盆栽の養分を提供する。
【０００９】
本考案による植物養分注入器は、液注入孔には他に蓋が設けられ、液排出孔が開くおよび自動的に閉じるのを押圧することにより、液体注入器により液体を注入すると共に、蚊や虫などが収容部に不意に侵入するのを避けることもできる。また、他に少なくとも一個の支持アームが設けられることにより、蓋を液体注入孔に結合することもできる。また、蓋には他に網が貼設されることにより、蓋と液体注入孔との間の隙間を被覆し、さらに蚊や虫などが収容部に不意に侵入するのを避けることもできる。また、液体注入孔には他に網が貼設されることにより、蚊や虫などが収容部に不意に侵入するのを避けることもできる。また、少なくとも一個の導引組立部材が設けられることにより、蓋体を収容部に導引して組み立てることもできる。また、蓋体には他に凹欠部が設けられ、そして液体進入孔は少なくとも凹欠部の底部に設けられることにより、液体を注入することもできる。また、収容部の底部には他に少なくとも一個の固定脚が設けられることにより、収容部を盆栽の内の土壌の上に挿入して固定することもできる。また、蓋体と収容部は共同で動物の造形、植物の造形または山の造形に形成することにより、盆栽を飾ることもできる。
【考案の効果】
【００１０】
本考案の植物養分注入器によれば、収容部に複数個の液排出孔を設け、さらに蓋体に液注入孔と蓋を設けることにより、上記収容部に肥料を収容したり分解したりすることができるため、肥料の溶解度を高めることができるという利点がある。
【００１１】
本考案の植物養分注入器によれば、収容部に複数個の液排出孔を設け、さらに蓋体に液注入孔と網を設け、上記網により蚊や虫が収容部に侵入するのを防止することができるため、異物が収容部に進入するのを避けることができるという利点がある。
【００１２】
本考案の植物養分注入器によれば、収容部に複数個の液排出孔を設け、さらに蓋体に凹欠部と複数個の液進入孔を設け、上記凹欠部により液体を集めることができるため、液体が注入し易くなるという利点がある。
【考案を実施するための最良の形態】
【００１３】
本考案の実施の形態について、以下、図面を参照して説明する。
【実施例１】
【００１４】
図１、２を参照すると、本考案の実施例１の植物養分注入器には収容部１、蓋体２および少なくとも一個の固定脚３が含まれる。収容部１は肥料４を収容するのに用いられる。蓋体２は収容部１を封止するのに用いられる。固定脚３は収容部１を盆栽Ａ（図１を参照する）に挿入し固定するのに用いられる。固定脚３は好ましくは盆栽Ａの一部分の土壌（図示せず）の中に完全に挿入し、そして収容部１の底部を上記土壌に近付かせたり埋め込んだりすることにより、収容部１の底部の複数個の液排出孔１２が液体を排出する時、蚊や虫がわいたり異臭が生じたりするのを避けることができる。収容部１と蓋体２は選択的に動物の造形、植物の造形または山の造形などの外観に形成することにより、盆栽Ａを美化したり飾ったりすることができる。本考案の実施例１において植物養分注入器は選択的に桃の造形（フルーツ造形）に形成する。
【００１５】
再び図２を参照すると、本考案の実施例１の収容部１には開口１１と複数個の液排出孔１２が設けられる。開口１１は蓋体２に対応するように形成されることにより、肥料４を収容部１に入れることができる。液排出孔１２は収容部１の底面に設けられることにより、収容部１の内の液体を排出することができる。液排出孔１２は使用者の需要性に応じて異なる寸法または数量から選択することができるため、液排出のスピードを増やしたり減らしたりすることができる。
【００１６】
再び図２を参照すると、本考案の実施例１の蓋体２は対応するように収容部１の開口１１を封止し、そして蓋体２には少なくとも一個の導引組立部材２１、液注入孔２２、蓋２３と支持アーム２４が含まれる。導引組立部材２１は蓋体２を収容部１に導引して組み立てるのに用いられ、そして導引組立部材２１は使用上の需要性に応じて異なる数量と形状から選択することができる。本考案の実施例１において、導引組立部材２１は選択的に蓋体２の内周縁に延伸するように形成され、導引組立部材２１は円弧を有する板状に形成されることにより、収容部１の開口１１の内周縁を係止することができる。その他に、導引組立部材２１も選択的にちょうつがい部（図示せず）を増設することにより、蓋体２の一方の側を収容部１の開口１１に連結し、そして蓋体２のもう一方の側を収容部１に対応して開くおよび閉じるの作動を行うことができる。また、導引組立部材２１も選択的に収容部１（または蓋体２）の周縁の内側に環設されることにより、互いに蓋体２（または収容部１）を係止することができる。
【００１７】
再び図２を参照すると、本考案の実施例１の蓋体２の液注入孔２２は蓋体２の上端に設けられることにより、液体を注入することができる。蓋体２の蓋２３は支持アーム２４により液注入孔２２に結合され、支持アーム２４は使用上の需要性に応じて各種の形状から選択することができる。本考案の実施例１において、支持アーム２４は自動復位のちょうつがい部からなる。手動で蓋２３を開けた後、一旦蓋２３を手離すと、蓋２３は支持アーム２４の弾力により自動的に液注入孔２２を封止することができる。また、蓋２３の寸法は液注入孔２２の寸法より相対的に小さくなるように形成されることにより、自然界の雨水が液注入孔２２と蓋２３との間から収容部１の内に流れ込むことができる。その他に、蓋２３の底部には他に網２３１が貼設されるため、蚊や虫が蓋２３と液注入孔２２との間から収容部１に侵入するのを有効に避けることができる。また、網２３１も選択的に液注入孔２２に形成することにより、液注入孔２２を完全に被覆することができる。
【００１８】
再び図２を参照すると、本考案の実施例１の植物養分注入器を初歩的に組み立てる時、先ず網２３１を蓋２３の内側に貼り覆わせ、そして網２３１の外周縁を蓋２３の外周縁まで延伸させる。それから、支持アーム２４を利用して蓋２３を蓋体２の液注入孔２２に結合させる。それから、再び固定脚３を収容部１の底面に固設させる。それから、再び導引組立部材２１を利用して蓋体２を収容部１の開口１１に封止させる。
【００１９】
図３、４を参照すると、本考案の実施例１の植物養分注入器に肥料４を添加する時、先ず蓋体２を収容部１から開き、そして適当な肥料４を収容部１に注入し、それから再び蓋体２を収容部１に封止させる。それから、固定脚３を盆栽Ａ（図２を参照する）の内に挿入する。それから、図４に示すように、液体注入器の尖がった嘴部を利用して蓋２３を押し開け、そして液注入孔２２に深く入れ、さらに液体を収容部１の内に適当に注入する。それから、上記液体注入器を液注入孔２２から離す時、蓋２３は支持アーム２４により自動的に復位し、そして液注入孔２２を封止する。それから、収容部１の底部の液排出孔１２によって収容部１の液排出のスピードを遅くすることにより、収容部１の内の液体は充分に肥料４を溶解し、そして肥料４を溶解した液体を収容部１から排出し、さらに盆栽Ａの中に滲み込ませる。
【００２０】
再び図３、４を参照すると、本考案の実施例１の植物養分注入器も自然界の雨水を利用して液注入孔２２と蓋２３との間の隙間（図示せず）から収容部１に流れ込ませることにより、肥料４を分解することができるため、使用上の自由度と使用上の利便性を高めることができる。
【実施例２】
【００２１】
図５を参照すると、本考案の実施例２の植物養分注入器が掲示される。実施例１と比較してみると、実施例２においてはさらに網２２１を利用して液注入孔２２を完全に被覆すると共に、蓋２３と支持アーム２４の構造を省略する。これにより、更に進んで蚊や虫などを阻隔することができる。その他に、一旦雨が降ると、雨水は直接網２２１を通過し、そして液注入孔２２を経て収容部１の内に流れ込んで肥料４を分解することができるため、使用上の利便性と使用上の自由度をさらに高めることができる。また、液体注入器（図示せず、図２を参照する）は尖がった嘴部を有する液体注入器と限らず、尖がった嘴部を利用して実施例１の蓋２３を押し開くと、本考案の実施例２の植物養分注入器は直接液体を蓋体２の上方に注入することにより、一部分の液体を収容部１の内に注入することができるため、使用上の利便性と組立の利便性をさらに高めることができる。
【実施例３】
【００２２】
図６を参照すると、本考案の実施例３の植物養分注入器が掲示される。実施例１、２と比較してみると、実施例３において蓋体２にはさらに凹欠部２０と複数個の液進入孔２２’が設けられる。液進入孔２２’は凹欠部２０に設けられ、そして液進入孔２２’には比較的小さい口径を有するように形成されることにより、蚊や虫が不意に収容部１に侵入するのを有効に防止することができる。液体を注入しようとする時、使用者は液体を直接蓋体２の凹欠部２０に注入する。それから、凹欠部２０の液体は液進入孔２２’を経て収容部１の内に流入する。これにより、使用者による水撒き或いは雨水による注入の方式を利用することができ、そして蚊や虫が不意に収容部１に侵入するのを有効に防止することができ、さらに製造工程の複雑さを簡単にすることができるため、組立の利便性と環境の品質を高めることができる。
【００２３】
図１から図６を参照すると、本考案の実施例１、２、３において収容部１と蓋体２により肥料４を有効に収容し保存することにより、蚊や虫がわいたり肥料４の異臭が生じたりするのを避けることができるため、環境衛生の品質を相対的に高めることができる。他に、収容部１と蓋体２により形成される外観の造形（桃の造形）では盆栽Ａを飾ることができるため、環境を有効に美化することができる。また、収容部１の液排出孔１２により液排出のスピードを遅くすることにより、肥料４は収容部１の内において充分に分解されるため、植物の養分の供給量を高めることができる。他に、本考案の実施例１における蓋２３と網２３１、実施例２における網２２１および実施例３における液進入孔２２’により、蚊や虫が不意に侵入するのを有効に避けることができると共に、水を注入する利便性を増やすことができるため、環境の品質と使用上の利便性を高めることができる。
【産業上の利用可能性】
【００２４】
上述の如く、図７に示す従来の植物養分注入方式によれば、肥料４を直接土壌の表面にばら撒くため、蚊や虫などがわき、環境の品質が悪くなり、美観に影響を及ぼし、さらに植物の養分の供給量が少なくなるなどの問題があった。それに反して、図１に示す本考案の植物養分注入器によれば、収容部１の底端において複数個の液排出孔１２を設置し、さらに蓋体２の上端において液注入孔２２と蓋２３を設置し、肥料４を収容し分解することにより、確実に環境の品質を高め、さらに植物の養分の供給量を高めることができる。
【００２５】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２６】
【図１】本考案の実施例１の盆栽と植物養分注入器の使用状態を示す斜視図である。
【図２】本考案の実施例１の植物養分注入器の分解斜視図である。
【図３】本考案の実施例１の植物養分注入器に肥料が入れられた後の組み立てられた状態を示す断面図である。
【図４】本考案の実施例１の植物養分注入器に水が注入される時の組み立てられた状態を示す断面図である。
【図５】本考案の実施例２の植物養分注入器の分解斜視図である。
【図６】本考案の実施例３の植物養分注入器による組み立てられた状態を示す断面図である。
【図７】従来の盆栽が施肥を完成した状態を示す斜視図である。
【符号の説明】
【００２７】
１    収容部                            １１    開口
１２    液排出孔                            ２    蓋体
２０    凹欠部                            ２１    導引組立部材
２２    液注入孔                          ２２’    液進入孔
２２１    網                                ２３    蓋
２３１    網                                ２４    支持アーム
３    固定脚                              ４    肥料
Ａ    盆栽
【図１】
0003126539.tif 000003
【図２】
0003126539.tif 000004
【図３】
0003126539.tif 000005
【図４】
0003126539.tif 000006
【図５】
0003126539.tif 000007
【図６】
0003126539.tif 000008
【図７】
0003126539.tif 000009
【手続補正書】
【提出日】平成18年8月24日(2006.8.24)
【手続補正１】
【補正対象書類名】実用新案登録請求の範囲
【補正対象項目名】全文
【補正方法】変更
【補正の内容】
【実用新案登録請求の範囲】
【請求項１】
収容部（１）および蓋体（２）により構成される植物養分注入器であって、収容部（１）には開口（１１）と複数個の液排出孔（１２）が設けられ、収容部（１）は肥料（４）を収容するのに用いられ、蓋体（２）は収容部（１）を封止するのに用いられ、そして蓋体（２）には液注入孔（２２）が設けられ、液注入孔（２２）は液体を注入するのに用いられ、収容部（１）の内の上記液体が肥料（４）を充分に溶解した後、液排出孔（１２）を経て排出されることにより、盆栽（Ａ）の養分を提供することを特徴とする植物養分注入器。
【請求項２】
液注入孔（２２）には他に自動的に閉じる蓋（２３）が設けられ、押圧により液排出口（２２）が開くのを許容したり、自動的に液注入孔（２２）を封止したりすることにより、液体注入器により液体を注入できると共に、蚊や虫などが収容部（１）に不意に侵入するのを避けることを特徴とする請求項１記載の植物養分注入器。
【請求項３】
他に少なくとも一個の支持アーム（２４）が設けられることにより、蓋（２３）を液体注入孔（２２）に結合することを特徴とする請求項２記載の植物養分注入器。
【請求項４】
蓋（２３）には他に網（２３１）が貼設されることにより、蓋（２３）と液体注入孔（２２）との間の隙間を被覆し、さらに蚊や虫などが収容部（１）に不意に侵入するのを避けることを特徴とする請求項２記載の植物養分注入器。
【請求項５】
液体注入孔（２２）には他に網（２２１）が貼設されることにより、蚊や虫などが収容部（１）に不意に侵入するのを避けることを特徴とする請求項１記載の植物養分注入器。
【請求項６】
少なくとも一個の導引組立部材（２１）が設けられることにより、蓋体（２）を収容部（１）に導引して組み立てることを特徴とする請求項１記載の植物養分注入器。
【請求項７】
蓋体（２）には他に凹欠部（２０）が設けられ、そして液体進入孔（２２’）は少なくとも凹欠部（２０）の底部に設けられることにより、液体を注入することを特徴とする請求項１記載の植物養分注入器。
【請求項８】
収容部（１）の底部には他に少なくとも一個の固定脚（３）が設けられることにより、収容部（１）を盆栽（Ａ）の内の土壌の上に挿入して固定することを特徴とする請求項１記載の植物養分注入器。
【請求項９】
蓋体（２）と収容部（１）は共同で動物の造形、植物の造形または山の造形に形成することにより、盆栽（Ａ）を飾ることを特徴とする請求項１記載の植物養分注入器。